(57)【要約】【課題】電源の小型化及びコストの低減を図りつつ、供給対象に適切に電力を供給することができる電源制御装置を提供すること。【解決手段】少なくとも２台以上の電源装置からの電源供給を必要とする電源供給対象装置に対して、複数の電源装置による電源供給制御を行う電源制御装置であって、各電源装置が電源供給可能な状態であるか否かを監視し、電源供給対象装置が電源供給を必要とする台数の電源装置が電源供給可能となった場合に、当該電源供給可能となった複数の電源装置から電源供給対象装置に電源供給を開始するよう制御する制御手段を備えた。【選択図】図１
2008193816.tif 000002
【特許請求の範囲】
【請求項１】
少なくとも２台以上の電源装置からの電源供給を必要とする電源供給対象装置に対して、複数の電源装置による電源供給制御を行う電源制御装置であって、
前記各電源装置が電源供給可能な状態であるか否かを監視し、前記電源供給対象装置が電源供給を必要とする台数の前記電源装置が電源供給可能となった場合に、当該電源供給可能となった複数の前記電源装置から前記電源供給対象装置に電源供給を開始するよう制御する制御手段を備えた、
ことを特徴とする電源制御装置。
【請求項２】
前記制御手段は、前記各電源装置の電源信号に基づいて出力される電源オン信号に基づいて、当該各電源装置が電源供給可能な状態であるか否かを監視する、
ことを特徴とする請求項１記載の電源制御装置。
【請求項３】
前記制御手段は、前記各電源装置から出力される電源オン信号の入力数に基づいて前記電源供給対象装置が電源供給を必要とする台数の前記電源装置が電源供給可能となったか否かを判断する、
ことを特徴とする請求項２記載の電源制御装置。
【請求項４】
前記制御手段は、前記電源供給対象装置が電源供給を必要とする台数と同一数の前記電源オン信号の入力を受け付けたときに電源供給を開始する信号を出力する論理積演算手段を備えた、
ことを特徴とする請求項３記載の電源制御装置。
【請求項５】
前記制御手段は、前記電源供給対象装置内に装備されている、
ことを特徴とする請求項１，２，３又は４記載の電源制御装置。
【請求項６】
前記制御手段は、前記各電源装置内にそれぞれ装備されている、
ことを特徴とする請求項１，２，３又は４記載の電源制御装置。
【請求項７】
複数の電源装置と、これら電源装置の電源供給制御を行う電源制御装置と、を備え、少なくとも２台以上の電源装置からの電源供給を必要とする電子装置であって、
前記各電源装置が、自身の電源信号に基づく電源オン信号を前記制御手段に出力する電源オン信号出力手段を備えると共に、
前記電源制御装置が、前記各電源装置から出力された前記電源オン信号に基づいて当該各電源装置が電源供給可能な状態であるか否かを監視し、電子装置が電源供給を必要とする台数の前記電源装置が電源供給可能となった場合に、当該電源供給可能となった複数の前記電源装置の電源供給制御を開始する制御手段を備えた、
ことを特徴とする電子装置。
【請求項８】
前記電源装置が、電子装置が電源供給を必要とする台数よりも少なくとも１台多く備えられている、
ことを特徴とする請求項７記載の電子装置。
【請求項９】
前記電源制御装置は、前記各電源装置内にそれぞれ装備されている、
ことを特徴とする請求項７又は８記載の電子装置。
【請求項１０】
少なくとも２台以上の電源装置からの電源供給を必要とする電源供給対象装置に対して、複数の電源装置による電源供給制御を行う電源制御方法であって、
前記各電源装置が電源供給可能な状態であるか否かを監視し、前記電源供給対象装置が電源供給を必要とする台数の前記電源装置が電源供給可能となった場合に、当該電源供給可能となった複数の前記電源装置から前記電源供給対象装置に電源供給を開始するよう制御する、
ことを特徴とする電源制御方法。
【発明の詳細な説明】
【技術分野】
【０００１】
本発明は、電源制御装置にかかり、特に、複数の電源装置にて電源供給対象装置に電源供給を行う電源制御装置に関する。
【背景技術】
【０００２】
コンピュータなどの装置には、電源を供給する電源制御装置が装備されており、特に、サーバコンピュータなどの常時起動されていることが要求されている装置では、複数台の電源装置を搭載して冗長性を持たせるよう構成されている。そして、複数の電源装置を備えた構成においては、これら複数の電源装置からコンピュータなどの装置に電力を供給することでスタンバイ起動するなど、カレントシェアリング方式が用いられている。このような方法により、電源１台当たりの出力容量を低減し、電源装置の外形を小型化することができる、という利点がある。例えば、装置に必要な容量をＮ台の電源装置で補うことが可能である場合には、Ｎ＋１台の電源装置を備えて構成する。さらに具体例を挙げて説明すると、例えばスタンバイ出力の装置容量が１０Ａの場合に、２＋１電源構成であると、電源１台当たりでは５Ａ定格の設計で足りることとなり、電源１台当たりの出力容量を低減して電源装置の外形を小型化できると共に、冗長性を持たせることができる。
【０００３】
【特許文献１】特開平４−４２７３３号公報
【発明の開示】
【発明が解決しようとする課題】
【０００４】
しかしながら、スタンバイ出力は、コンピュータ装置からの電源起動用信号でオンするものではなく、ＡＣプラグ挿入やＡＣスイッチＯＮなどの人手による作業により起動する。従って、例えば、電源１台目をＡＣ＿ＯＮしたときには、当該１台目の電源装置から電力が供給されるが、この電源１台のみではスタンバイ出力の電流定格で装置容量を補うことができず、過電流により電源がダウンしてしまう、という問題が生じる。また、コンピュータなどの装置の起動を確実に行うこともできず、ユーザにとって不便であり、また、コンピュータや装置に悪影響を及ぼす、という問題も生じる。
【０００５】
このため、本発明では、上記従来例の有する不都合を改善し、特に、電源の小型化及びコストの低減を図りつつ、電源供給対象装置に適切に電力を供給することができる電源制御装置を提供することをその目的とする。
【課題を解決するための手段】
【０００６】
そこで、本発明の一形態である電源制御装置は、少なくとも２台以上の電源装置からの電源供給を必要とする電源供給対象装置に対して、複数の電源装置による電源供給制御を行う電源制御装置であって、各電源装置が電源供給可能な状態であるか否かを監視し、電源供給対象装置が電源供給を必要とする台数の電源装置が電源供給可能となった場合に、当該電源供給可能となった複数の電源装置から電源供給対象装置に電源供給を開始するよう制御する制御手段を備えた、ことを特徴としている。
【０００７】
上記発明によると、電源制御装置にて、まず、複数の電源装置が電源供給可能か否かを監視する。そして、電源供給対象装置が必要としている電源容量を供給可能な予め設定された台数の電源装置が電源供給可能な状態となった場合に、これら電源装置から電源供給対象装置に対する電源供給制御を開始する。従って、複数の電源装置のシェアリング方式を用いることにより、各電源装置の小型化及びコストの低減を図ることができると共に、電源供給量を補うことができないことによる一部の電源装置の過電流によるダウンを有効に防止することができ、電源供給対象装置に対して適切に電源供給を実行することができる。
【０００８】
そして、上記制御手段は、各電源装置の電源信号に基づいて出力される電源オン信号に基づいて、当該各電源装置が電源供給可能な状態であるか否かを監視する、ことを特徴としている。
【０００９】
これにより、各電源装置の電源信号に基づく電源ＯＮ信号を調べることで、容易かつ確実に、各電源装置が電源供給可能な状態であるかを監視することができる。従って、より確実に電源供給対象装置に対する電源供給を実現できる。
【００１０】
また、上記制御手段は、各電源装置から出力される電源オン信号の入力数に基づいて電源供給対象装置が電源供給を必要とする台数の電源装置が電源供給可能となったか否かを判断する、ことを特徴としている。そして、制御手段は、電源供給対象装置が電源供給を必要とする台数と同一数の電源オン信号の入力を受け付けたときに電源供給を開始する信号を出力する論理積演算手段を備えた、ことを特徴としている。
【００１１】
これにより、電源オン信号の入力数を調べることで電源供給が可能であるか否かを容易に判断することができる。特に、論理積演算手段にて、電源供給が必要される台数分の電源オン信号の論理積出力を、電源供給を開始する信号とすることで、簡易な構成にて電源制御を実現できる。
【００１２】
なお、上記制御手段は、電源供給対象装置内に独立して装備されたり、あるいは、各電源装置内にそれぞれ装備される。
【００１３】
また、本発明の他の形態は、複数の電源装置と、これら電源装置の電源供給制御を行う電源制御装置と、を備え、少なくとも２台以上の電源装置からの電源供給を必要とする電子装置であって、各電源装置が、自身の電源信号に基づいて電源オン信号を制御手段に出力する電源オン信号出力手段を備えると共に、電源制御装置が、各電源装置から出力された電源オン信号に基づいて当該各電源装置が電源供給可能な状態であるか否かを監視し、電子装置が電源供給を必要とする台数の電源装置が電源供給可能となった場合に、当該電源供給可能となった複数の電源装置の電源供給制御を開始する制御手段を備えた、ことを特徴としている。そして、上記電源制御装置は、上述したものと同様に他の構成を有していてもよい。なお、上記電源制御装置は、各電源装置内にそれぞれ装備されてもよい。
【００１４】
また、電子装置に、当該電子装置が電源供給を必要とする台数よりも少なくとも１台多く電源装置が備えられている、ことを特徴としている。これにより、電子装置が電源に関して冗長性を有し、装置の安定性、信頼性の向上を図ることができる。
【００１５】
さらに、本発明の他の形態は、少なくとも２台以上の電源装置からの電源供給を必要とする電源供給対象装置に対して、複数の電源装置による電源供給制御を行う電源制御方法であって、各電源装置が電源供給可能な状態であるか否かを監視し、電源供給対象装置が電源供給を必要とする台数の電源装置が電源供給可能となった場合に、当該電源供給可能となった複数の電源装置から電源供給対象装置に電源供給を開始するよう制御する、ことを特徴としている。
【００１６】
上述した構成の電子装置及び電源制御方法であっても、上記電源制御装置と同様に作用するため、上述した本発明の目的を達成することができる。
【発明の効果】
【００１７】
本発明は、以上のように構成され機能するので、これによると、電子装置において、複数の電源装置のシェアリング方式を用いることにより、各電源装置の小型化及び設計コストの低減を図ることができると共に、電源供給量を補うことができないことによる一部の電源装置の過電流によるダウンを有効に防止することができ、電子装置に対して適切に電源供給を実行することができる、という従来にない優れた効果を有する。
【発明を実施するための最良の形態】
【００１８】
本発明では、複数の電源装置を備え、電源供給にカレントシェアリング方式を用いた場合に、各電源装置のＡＣ入力状況を監視し、必要な台数の電源装置にＡＣ入力された場合に、電子装置の起動を開始する、という点に特徴を有する。以下、実施例にて具体的な構成及び動作を説明する。なお、実施例では、複数の電源装置を備え、これら電源装置から電力供給を受けて起動される電源供給対象装置の一例として電源装置が組み込まれたコンピュータシステムを挙げて説明するが、いかなる電子装置が電源供給対象となっていてもよい。また、電源装置や電源制御装置は、電源供給対象装置と一体的に構成されている必要はない。
【実施例１】
【００１９】
本発明の第１の実施例を、図１乃至図４を参照して説明する。図１は、コンピュータシステムの構成を示すブロック図であり、図２は、コンピュータシステム内部に設けられた制御回路の構成を示すブロック図である。図３は、電源供給時の動作を示す説明図であり、図４は、タイミングチャートである。
【００２０】
［構成］
図１に、本実施例におけるコンピュータシステム１の構成を示す。この図に示すように、コンピュータシステム１は、コンピュータシステム１における各種処理を実現するための各種回路が搭載されたマザーボード３と、複数の電源装置、つまり、並列冗長電源Ａ（２Ａ），並列冗長電源Ｂ（２Ｂ），並列冗長電源Ｃ（２Ｃ）を備えている。これら各並列冗長電源Ａ，Ｂ，Ｃは、各ＡＣ入力ａ，ｂ，ｃにより電源供給を受ける。なお、本実施例におけるコンピュータシステム１は、３つの並列冗長電源Ａ，Ｂ，Ｃを備えているが、このうち２つの並列冗長電源からの電源供給によりスタンバイ起動が可能なよう構成されている。つまり、本実施例では、電源装置が通常は２台で足りるところを、（２＋１）台の電源装置を備えており、冗長構成となっている。
【００２１】
なお、コンピュータシステム１に搭載されている他の構成については、一般的なコンピュータシステムと同様の構成であるため、詳細な説明は省略する。また、上記各並列冗長電源２Ａ，２Ｂ，２Ｃはほぼ同じ構成であるため、以下では、並列冗長電源Ａ（２Ａ）の構成のみを詳細に説明する。
【００２２】
並列冗長電源Ａ（２Ａ）は、図１に示すように、コンピュータシステム１自体に対する電源供給制御を行う電源制御装置として、制御回路４と、スタンバイ用コンバータ５と、メイン用コンバータ６と、を備えている。ここで、一般的なスタンバイ用コンバータは、ＡＣ入力が供給されただけで起動を開始し、マザーボードにスタンバイ出力を供給するよう作動するが、本実施例におけるスタンバイ用コンバータ５は、並列冗長電源ＡにＡＣ入力ａが供給されても直ちには起動しない。具体的には、スタンバイ用コンバータ５は、ＡＣ入力ａを受けると、まずは制御回路用電圧信号Ｖｃｃを制御回路４に供給する。そして、後に、後述する制御回路４からの起動指令（スタンバイ用パワーオン信号）を受けると起動して、マザーボード３にスタンバイ出力の供給を開始するよう作動する。逆に言うと、制御回路４からスタンバイ用パワーオン信号を受けない限りは起動しない。
【００２３】
次に制御回路４の詳細な構成について説明する。図２は、図１に開示した制御回路４の構成を示すブロック図である。この図に示すように、制御回路４は、スタンバイ用コンバータ制御部２１と、メイン用コンバータ制御部２２と、論理回路２３と、を備えている。そして、論理回路２３は、ＡＮＤ回路２４と、ＯＲ回路２５と、を備えている。以下、制御回路４及び論理回路２３の構成、及び、各回路４，２３が備える機能について詳述する。なお、他の並列冗長電源Ｂ，Ｃにも同様の構成が備えられている。
【００２４】
まず、制御回路４（制御手段）は、上述したようにスタンバイ用コンバータ５から供給された制御回路用電圧信号Ｖｃｃを受けて作動する。そして、制御回路４は、この制御回路用電圧信号Ｖｃｃから、並列冗長電源Ａ（２Ａ）がＡＣ入力ａを受けて電源供給可能状態であることを表すＡＣ＿ＯＫ信号ａ（Ｓａ）（電源オン信号）を生成し、自身である制御回路４内の論理回路２３に設けられたＡＮＤ回路３１に送出する。また、同時に、ＡＣ＿ＯＫ信号ａ（Ｓａ）を、他の並列冗長電源Ｂ，Ｃの論理回路内に設けられたＯＲ回路に送出する（図１及び図３参照）。
【００２５】
そして、論理回路４に設けられたＯＲ回路２５には、他の並列冗長電源Ｂ，Ｃから送出された各ＡＣ＿信号ＯＫ信号ｂ，ｃ（Ｓｂ，Ｓｃ）の入力をそれぞれ受け付けて、その論理和の信号ＳｉをＡＮＤ回路２４に出力する。つまり、ＯＲ回路２５は、一般的な論理和回路であり、他の並列冗長電源Ｂ，Ｃの少なくともいずれか一方がＡＣ入力ｂ，ｃを受けて電源供給可能状態となると、その旨を表す信号ＳｉをＡＮＤ回路２４に送出する。
【００２６】
また、論理回路４に設けられたＡＮＤ回路２４は、一般的な論理積演算回路（論理積演算手段）であり、入力信号である自身の並列冗長電源Ａ（２Ａ）のＡＣ＿ＯＫ信号ａ（Ｓａ）と、ＯＲ回路２５からの出力信号Ｓｉと、の入力を受けて、全ての信号Ｓａ，Ｓｉが入力された場合に、スタンバイ用コンバータ５を起動させ電源供給を開始させる指令であるオン信号Ｓｏを、スタンバイ用コンバータ制御部２１に出力する。このように、ＡＮＤ回路２４を用いることで、コンピュータシステム１に必要な台数だけ並列冗長電源が電源供給可能な状態になっているかを検知することができる。つまり、各並列冗長電源Ａ，Ｂ，Ｃから入力されるＡＣ＿ＯＫ信号の数が、必要とされる台数に達しているか否かを、容易に判別して出力することができる。
【００２７】
このとき、他の並列冗長電源Ｂ，Ｃの論理回路も同様に作動するため、自身の電源と、他の電源の少なくとも２つからＡＣ＿ＯＫ信号が入力されている電源は、上述したようにスタンバイ用コンバータ制御部にオン信号を出力する。これにより、本実施例では、２つの電源にＡＣ入力がなされた場合に、これら２つの電源に装備された各スタンバイ用コンバータ５が起動し、スタンバイ出力をマザーボード３に供給することができ、コンピュータシステム１のスタンバイ起動時の容量不足を防止することができる。
【００２８】
ここで、本実施例では、コンピュータシステム１が必要としている電源が２台であるのに対して、装備している電源が（２+１）台という構成であるため、上述したようにＡＮＤ回路２４及びＯＲ回路２５の組み合わせにて、いずれか２台が起動していることを検出することができる。但し、本発明は、電源構成の数に制限はなく、複数台の電源の状態を監視して、少なくとも電源供給装置が必要としている数の電源が電源供給可能状態であることを検出できるよう、論理回路２３が構成されていればよい。
【００２９】
なお、図２に示す各コンバータ制御部２１，２２については、当業者によってよく知られており、本発明とは直接関係しないので、その詳細な構成は省略する。また、論理回路２３などの各回路は、アナログ回路、デジタル回路のいずれで構成されていてもよい。
【００３０】
［動作］
次に、上記構成のコンピュータシステム１のスタンバイ起動時の動作を、図３及び図４を参照して説明する。なお、図３は、並列冗長電源Ａ（２Ａ）と並列冗長電源Ｂ（２Ｂ）にそれぞれＡＣ入力ａ，ｂがなされ、スタンバイ出力される場合を例示している。また、図４は、各信号のタイミングチャートである。
【００３１】
まず、並列冗長電源Ａ（２Ａ）にＡＣ入力ａが入力されると（図３（１））、制御回路４に電源供給（Ｖｃｃ）すると共に、この電圧信号（Ｖｃｃ）からＡＣ＿ＯＫ信号ａ（Ｓａ）を生成し、自身のＡＮＤ回路２４（図３（２））、及び、他の並列冗長電源Ｂ，ＣのＯＲ回路２５へ送信する（図３（２）’）。なお、かかる状態では、まだ並列冗長電源Ａのスタンバイ用コンバータ５はマザーボード３へのスタンバイ出力は開始しない。
【００３２】
続いて、並列冗長電源Ｂ（２Ｂ）にＡＣ入力ｂが入力されると（図３（３））、当該電源Ｂ（２Ｂ）の制御回路４に電源供給（Ｖｃｃ）すると共に、この電圧信号（Ｖｃｃ）からＡＣ＿ＯＫ信号ｂ（Ｓｂ）を生成し、自身のＡＮＤ回路２４（図３（３））、及び、他の並列冗長電源Ａ，ＣのＯＲ回路２５へ送信する（図３（３））。なお、各並列冗長電源Ａ，Ｂの制御回路４は、各電圧信号（Ｖｃｃ）からＡＣ＿ＯＫ信号ａ，ｂをそれぞれ生成して各論理回路２３に出力しているが、電圧信号（Ｖｃｃ）自体をＡＣ＿ＯＫ信号ａ，ｂとして出力してもよい。
【００３３】
すると、まず、並列冗長電源Ａ（２Ａ）のＯＲ回路２５は、並列冗長電源Ｂ（２Ｂ）からＡＣ＿ＯＮ信号ｂ（Ｓｂ）といった少なくとも１つの信号の入力を受けているため（図３（３））、論理和の出力信号ＳｉをＡＮＤ回路２４に出力する（図３（４））。そして、並列冗長電源Ａ（２Ａ）のＡＮＤ回路２４は、自身のＡＣ入力ａからのＡＣ＿ＯＫ信号ａ（Ｓａ）と（図３（２））、上記ＯＲ回路２５からの信号Ｓｉと（図３（４））、による２つの入力を受けているため、その論理積の出力信号であるオン信号（Ｓｏ）をスタンバイ用コンバータ制御部２１に出力する（図３（５））。すると、スタンバイ用コンバータ制御部２１からスタンバイ用コンバータ５に対してスタンバイ用パワーオン信号が出力され（図３（６））、並列冗長電源Ａ（２Ａ）のスタンバイ用コンバータ５が起動する。
【００３４】
同時に、並列冗長電源Ｂ（２Ｂ）のＯＲ回路２５は、並列冗長電源Ａ（２Ａ）からＡＣ＿ＯＮ信号ａ（Ｓａ）といった少なくとも１つの信号の入力を受けているため（図３（２）’）、論理和の出力信号ＳｉをＡＮＤ回路２４に出力する（図３（４）’）。そして、並列冗長電源Ｂ（２Ｂ）のＡＮＤ回路２４は、自身のＡＣ入力ｂからのＡＣ＿ＯＫ信号ｂ（Ｓｂ）と（図３（３）’）、上記ＯＲ回路２５からの信号Ｓｉと（図３（４）’）、による２つの入力を受けているため、その論理積の出力信号であるオン信号（Ｓｏ）をスタンバイ用コンバータ制御部２１に出力する（図３（５）’）。すると、スタンバイ用コンバータ制御部２１からスタンバイ用コンバータ５に対してスタンバイ用パワーオン信号が出力され（図３（６）’）、並列冗長電源Ｂ（２Ｂ）のスタンバイ用コンバータ５が起動する。
【００３５】
以上のように、２つの並列冗長電源Ａ，Ｂの各論理回路２３は、それぞれＡＣ＿ＯＫ信号を２つ以上受信した時に、同時にオン信号を各スタンバイ用コンバータ制御部２１に出力するよう構成されている。従って、各並列冗長電源Ａ，Ｂの各スタンバイ用コンバータ５が、上記オン信号をそれぞれ同時に受信することにより、同時に起動され、マザ−ボード３へのスタンバイ出力を開始する（図４参照）。このため、コンピュータシステム１の容量に適切なスタンバイ出力を供給可能としている。
【００３６】
なお、その後、ＡＣ入力ｃにより並列冗長電源Ｃ（２Ｃ）もスタンバイ出力を開始する（図４参照）。これにより、仮に現在電源供給を行っている並列冗長電源Ａ，Ｂのうちいずれかに障害が発生した場合であっても、正常な一方の電源（Ａ又はＢ）と、電源Ｃと、により、上述したように電源供給が継続され、冗長性が確保される。
【００３７】
以上説明したように、本発明では、制御回路４が、まず、複数の並列冗長電源から出力されるＡＣ＿ＯＫ信号を論理回路２３に入力して、各電源の状態を監視する。そして、コンピュータシステム１が必要としている台数、本実施例では２個以上、の電源が電源供給可能な状態であることを検出したときに、各電源がスタンバイ用コンバータ５を起動させ、マザーボード３にスタンバイ出力の供給を開始する。これによりコンピュータシステム１の容量を補うスタンバイ出力を供給することができる。
【００３８】
このように、複数の電源装置のシェアリング方式を用いることにより、各電源装置の小型化及び設計コストの低減を図ることができると共に、電源供給量を補うことができないことによる一部の電源装置の過電流によるダウンを有効に防止することができ、電源供給対象装置に対して適切に電源供給を実行することができる。
【実施例２】
【００３９】
次に、本発明の第２の実施例を、図５乃至図７を参照して説明する。図５は、コンピュータシステムの構成を示すブロック図であり、図６は、コンピュータシステム内部に設けられ論理回路の構成を示すブロック図である。図７は、電源供給時の動作を示す説明図である。
【００４０】
［構成］
図５に示すように、本実施例におけるコンピュータシステム１０１は、上述した実施例１と同様に、当該コンピュータシステム１０１における各種処理を実現するための各種回路が搭載されたマザーボード１０３と、複数の電源装置、つまり、並列冗長電源Ａ（２Ａ），並列冗長電源Ｂ（２Ｂ），並列冗長電源Ｃ（２Ｃ）を備えている。これら各並列冗長電源Ａ，Ｂ，Ｃは、各ＡＣ入力ａ，ｂ，ｃによりＡＣ供給を受ける。なお、本実施例におけるコンピュータシステム１０１も実施例１と同様に、２つの並列冗長電源からの電源供給にてスタンバイ起動が可能なよう構成されており、電源装置が（２＋１）台装備された冗長構成となっている。
【００４１】
ここで、上記各並列冗長電源２Ａ，２Ｂ，２Ｃはほぼ同じ構成であるため、以下では、並列冗長電源Ａ（２Ａ）の構成のみを詳細に説明する。並列冗長電源Ａ（２Ａ）は、図５に示すように、コンピュータシステム１０１自体に対する電源供給制御を行う電源制御装置として、制御回路１０４と、スタンバイ用コンバータ１０５と、メイン用コンバータ１０６と、を備えている。なお、スタンバイ用コンバータ１０５は、上述した実施例１とほぼ同様の機能を有する。つまり、並列冗長電源ＡにＡＣ入力ａが供給されても直ちには起動せず、ＡＣ入力ａを受けると、まずは制御回路用電圧Ｖｃｃを制御回路１０４に供給する。そして、後に、後述する制御回路１０４からの指令（スタンバイ用パワーオン信号）を受けると起動して、マザーボード１０３にスタンバイ出力の供給を開始するよう作動する。
【００４２】
そして、本実施例における制御回路１０４は、実施例１と同様に、スタンバイ用コンバータ制御部１２１とメイン用コンバータ制御部１２２とを備えているが、図２に示すような上述した論理回路２３は設けられていない。但し、後述するように、本実施例では、実施例１における論理回路２３と同様の機能を果たす論理回路１２３が、マザーボード１０３に搭載されている。そして、本実施例における制御回路１０４は、スタンバイ用コンバータ１０５から供給された制御回路用電圧信号Ｖｃｃをマザーボード１０３に搭載された論理回路１２３に送出する。
【００４３】
なお、同様に、他の並列冗長電源Ｂ，Ｃに搭載された制御回路も、ＡＣ入力ｂ，ｃを受けると、それぞれの電圧信号Ｖｃｃをマザーボード１０３に搭載された論理回路１２３に送出する。
【００４４】
次に、上述したようにマザーボード１０３に搭載され、コンピュータシステム１０１に対する電源供給制御を行う電源制御装置として機能する論理回路１２３の詳細な構成について説明する。
【００４５】
まず、論理回路１２３は、上述した各冗長電源装置Ａ，Ｂ，Ｃからそれぞれの電圧信号Ｖｃｃ＿ａ，Ｖｃｃ＿ｂ，Ｖｃｃ＿ｃを受け付けて、各電源装置が電源供給可能状態であることを表すＡＣ＿ＯＫ信号ａ（Ｓａ），ｂ（Ｓｂ），ｃ（Ｓｃ）（電源オン信号）をそれぞれ生成する機能を有する。
【００４６】
また、論理回路１２３には、３つのＡＮＤ回路１３１，１３２，１３３が装備されており、それぞれに対して、上記ＡＣ＿ＯＫ信号ａ，ｂ，ｃのうち、いずれか２つが入力されるよう構成されている。これにより、２台以上の電源からＡＣ＿ＯＫ信号を受信した時に、いずれかのＡＮＤ回路１３１，１３２，１３３から所定の信号が出力されるよう構成されている。
【００４７】
さらに、論理回路１２３には、各ＡＮＤ回路１３１，１３２，１３３のうち少なくとも１つのＡＮＤ回路から所定の信号が出力されたことを検知するために、各ＡＮＤ回路の出力値が入力される２つのＯＲ回路１３４，１３５が装備されている。具体的には、符号１３４のＯＲ回路には、２つのＡＮＤ回路１３１，１３２の出力が入力され、符合１３５のＯＲ回路には、上記ＯＲ回路１３４の出力とこのＯＲ回路１３４に接続されていない３つ目のＡＮＤ回路１３３の出力が入力されるよう構成されている。これにより、符号１３５に示すＯＲ回路１３５は、３つの電源装置のうち少なくとも２つの電源装置が電源供給可能状態である場合、つまり、ＡＣ＿ＯＫ信号ａ，ｂ，ｃのうち２つが入力された場合に、各電源のスタンバイ用コンバータ５を起動させるオン信号（Ｓｏ）を、各並列冗長電源Ａ，Ｂ，Ｃの制御回路１０４に装備されたスタンバイ用コンバータ制御部１２１にそれぞれ出力するよう構成されている（図５及び図６参照）。
【００４８】
［動作］
次に、上記構成のコンピュータシステム１０１のスタンバイ起動時の動作を、図７を参照して説明する。なお、図７は、並列冗長電源Ａ（２Ａ）と並列冗長電源Ｂ（２Ｂ）にそれぞれＡＣ入力ａ，ｂがなされ、スタンバイ出力される場合を例示している。
【００４９】
まず、並列冗長電源Ａ（２Ａ）にＡＣ入力ａが入力されると、その制御回路１０４に電源供給（Ｖｃｃ）すると共に、当該制御回路１０４から電圧信号Ｖｃｃ＿ａが論理回路１２３に出力される（図７（１））。すると、論理回路１２３は、この電圧信号Ｖｃｃ＿ａからＡＣ＿ＯＫ信号ａ（Ｓａ）を生成し、符号１３１のＡＮＤ回路１３１に入力する（図７（２））。なお、かかる状態では、まだ並列冗長電源Ａのスタンバイ用コンバータ１０５はマザーボード１０３へのスタンバイ出力を開始しない。
【００５０】
続いて、並列冗長電源Ｂ（２Ｂ）にＡＣ入力ｂが入力されると、その制御回路１０４に電源供給（Ｖｃｃ）すると共に、当該制御回路１０４から電圧信号Ｖｃｃ＿ｂが論理回路１２３に出力される（図７（３））。すると、論理回路１２３は、この電圧信号Ｖｃｃ＿ｂからＡＣ＿ＯＫ信号ｂ（Ｓｂ）を生成し、符号１３１のＡＮＤ回路１３１に入力する（図７（４））。
【００５１】
すると、ＡＮＤ回路１３１は、２つの入力を受けているため、符号１３４のＯＲ回路に信号を出力する（図７（５））。そして、このＯＲ回路１３４は、１つの入力を受けているため、符号１３５のＯＲ回路に信号を出力する（図７（６））。これを受けたＯＲ回路１３５は、１つの入力を受けているため、オン信号（Ｓｏ）を各並列冗長電源Ａ，Ｂ，Ｃのスタンバイ用コンバータ制御部１２１に出力する（図７（７））。すると、各スタンバイ用コンバータ制御部１２１から各スタンバイ用コンバータ１０５に対してスタンバイ用パワーオン信号が出力され、ＡＣ信号を受けている少なくとも２つの並列冗長電源Ａ，Ｂのスタンバイ用コンバータ１０５が起動することとなる。
【００５２】
以上のように、本実施例における論理回路１２３によると、ＡＣ＿ＯＫ信号を２つ以上受信した時に、各スタンバイ用コンバータ制御部１２１に同時にオン信号を出力するよう構成されている。従って、各並列冗長電源Ａ，Ｂのスタンバイ用コンバータ１０５が、上記オン信号を受信することにより、同時に起動され、マザ−ボード１０３へのスタンバイ出力を開始する。このため、コンピュータシステム１の容量に適したスタンバイ出力を供給可能となっている。
【００５３】
特に、本実施例では、上述したように各並列冗長電源Ａ，Ｂ，Ｃの状態を監視する論理回路１２３を１つ設ければよいため、実施例１で説明したように各電源に論理回路２３を設ける必要が無く、各電源における出力コネクタのピン数の減少など、回路構成の簡略化を図ることができる。
【産業上の利用可能性】
【００５４】
本発明は、複数の電源装置を備えたコンピュータシステムなどの電子装置に利用することができ、産業上の利用可能性を有する。
【図面の簡単な説明】
【００５５】
【図１】実施例１におけるコンピュータシステムの構成を示すブロック図である。
【図２】図１に開示したコンピュータシステムに設けられた制御回路の構成を示すブロック図である。
【図３】実施例１における電源供給時の動作を示す説明図である。
【図４】実施例１における電源供給時の動作を示すタイミングチャートである。
【図５】実施例２におけるコンピュータシステムの構成を示すブロック図である。
【図６】図５に開示したコンピュータシステムに設けられた論理回路の構成を示すブロック図である。
【図７】実施例２における電源供給時の動作を示す説明図である。
【符号の説明】
【００５６】
１，１０１  コンピュータシステム
３，１０３  マザーボード
４，１０４  制御回路
５，１０５  スタンバイ用コンバータ
６，１０６  メイン用コンバータ
２１，１２１  スタンバイ用コンバータ制御部
２２，１２２  メイン用コンバータ制御部
２３，１２３  論理回路
２４，１３１，１３２，１３３  ＡＮＤ回路
２５，１３４，１３５  ＯＲ回路
２Ａ，１０２Ａ  並列冗長電源Ａ
２Ｂ，１０２Ｂ  並列冗長電源Ｂ
２Ｃ，１０２Ｃ  並列冗長電源Ｃ
【図１】
2008193816.tif 000003
【図２】
2008193816.tif 000004
【図３】
2008193816.tif 000005
【図４】
2008193816.tif 000006
【図５】
2008193816.tif 000007
【図６】
2008193816.tif 000008
【図７】
2008193816.tif 000009